(57)【要約】【課題】電力増幅器の出力先の負荷の変化に応じて電力増幅器に適切なバイアス電圧が印加される無線通信装置を提供する。【解決手段】無線通信装置（１）は、送信信号の送信出力値の設定値と、電力増幅器（４）により増幅されて出力された送信信号の送信出力値の送信出力検出部（５）による検出値とに基づいて、電力増幅器に供給するバイアス電圧を設定するように制御する高周波集積回路（７）を備えている。【選択図】図１
2015023561.tif 000002
【特許請求の範囲】
【請求項１】
送信信号の信号源、および、当該信号源から送信信号を出力するときの送信出力値を設定する設定部を有する無線回路と、
上記送信信号を増幅する電力増幅器と、
上記電力増幅器にバイアス電圧を供給する供給部と、
上記電力増幅器からの送信される送信信号の送信出力値を検出する検出部と、
上記設定部が設定した送信出力値と、当該設定した送信出力値の送信信号を上記電力増幅器において増幅して送信される送信信号を上記検出部が検出した送信出力値とを比較した結果に基づいて、上記バイアス電圧を設定するように制御する制御部とを備えていることを特徴とする無線通信装置。
【請求項２】
上記バイアス電圧と、送信出力値とが対応付けられた、互いに異なる第一および第二のテーブルが記憶された記憶部を更に備え、
上記制御部は、
上記設定部が設定した送信出力値と、上記検出部が検出した送信出力値とに基づいて、上記電力増幅器の出力先の負荷に変動が有るか否かを判定する判定部と、
上記判定部によって上記変動が有ると判定された場合には上記第一のテーブルを選択し、上記変動が無いと判定された場合には上記第二のテーブルを選択する選択部とを有し、
上記制御部は、上記選択部によって選択されたテーブルを参照して上記バイアス電圧を設定するように制御することを特徴とする請求項１に記載の無線通信装置。
【請求項３】
基地局からの送信出力値変更要求を受信する受信部を更に備え、
上記受信部が上記送信出力値変更要求を受信した場合には、上記制御部は、当該送信出力値変更要求に含まれる送信出力値と、上記参照している上記テーブルとから、上記バイアス電圧を設定するように制御することを特徴とする請求項２に記載の無線通信装置。
【請求項４】
上記制御部は、上記検出部により検出した送信出力値が変動した場合には、上記第一のテーブルを参照して上記バイアス電圧を設定するように制御することを特徴とする請求項２または３に記載の無線通信装置。
【請求項５】
上記電力増幅器から出力された送信信号を外部に出力する送信アンテナを更に備えていることを特徴とする請求項１から４までの何れか１項に記載の無線通信装置。
【発明の詳細な説明】
【技術分野】
【０００１】
本発明は、高周波信号を増幅する電力増幅器を備えた無線通信装置に関する。
【背景技術】
【０００２】
無線通信装置において、送信信号の電力増幅器の出力値を検出し、歪特性（隣接チャンネル漏洩電力）を基に作られた電力増幅器のバイアス電圧を、出力値との対応表を基に決定するバイアス電圧の制御方法が知られている。
【０００３】
特許文献１の無線通信装置では、送信出力に応じて最適なＡＣＰ（Adjacent Channel Leakage Power：隣接チャンネル漏洩電力）が得られるバイアス設定を対応させた対応表を、変調クラス毎もしくは温度毎に用意しており、当該対応表を用いて、電力増幅器で増幅された変調信号を送信するときの送信出力値に対応するバイアス電圧を設定する。
【先行技術文献】
【特許文献】
【０００４】
【特許文献１】特開２００９−１００４４６号公報（２００９年５月７日公開）
【発明の概要】
【発明が解決しようとする課題】
【０００５】
しかしながら、特許文献１の構成は、電力増幅器の出力先（アンテナ等）の負荷の変化は考慮されていないため、無線通信装置を把持したり、鞄や洋服のポケットなどに入れたりすることによる通信中の負荷変動に対して、送信信号の質（波形）が悪くなる、つまり良好な歪特性を維持できない虞がある。
【０００６】
そこで、本発明は上記の問題点に鑑みてなされたものであり、その目的は、電力増幅器に接続された負荷の状態を判断し、出力値の検出値に応じて電力増幅器に適切なバイアス電圧を印加することができる無線通信装置を提供することにある。
【課題を解決するための手段】
【０００７】
上記の課題を解決するために、本発明に係る無線通信装置は、
送信信号の信号源、および、当該信号源から送信信号を出力するときの送信出力値を設定する設定部を有する無線回路と、
上記送信信号を増幅する電力増幅器と、
上記電力増幅器にバイアス電圧を供給する供給部と、
上記電力増幅器からの送信される送信信号の送信出力値を検出する検出部と、
上記設定部が設定した送信出力値と、当該設定した送信出力値の送信信号を上記電力増幅器において増幅して送信される送信信号を上記検出部が検出した送信出力値とを比較した結果に基づいて、上記バイアス電圧を設定するように制御する制御部とを備えていることを特徴としている。
【発明の効果】
【０００８】
本発明によれば、電力増幅器の出力先の負荷の変化に応じて電力増幅器に適切なバイアス電圧を印加することができ、送信信号の品質を良好に保つことが可能である。
【図面の簡単な説明】
【０００９】
【図１】本発明の実施形態１に係る無線通信装置のブロック図である。
【図２】図１に示す無線通信装置の一部のブロック図である。
【図３】図１に示す無線通信装置においてバイアス電圧を設定するために用いるテーブルについて説明する図である。
【図４】図１に示す無線通信装置においておこなわれるバイアス電圧設定動作の処理フローを示す図である。
【図５】図１に示す無線通信装置においておこなわれるバイアス電圧設定動作を説明する図である。
【図６】本発明の実施形態２に係る無線通信装置のブロック図である。
【図７】図６に示す無線通信装置においておこなわれるバイアス電圧設定動作を説明する図である。
【図８】本発明の実施形態３に係る無線通信装置においておこなわれるバイアス電圧設定動作を説明する図である。
【発明を実施するための形態】
【００１０】
〔実施形態１〕
以下、本発明に係る無線通信装置の一実施形態について、図１から図５に基づいて説明する。
【００１１】
図１は、本実施形態１の無線通信装置の構成を示すブロック図である。本実施形態１の無線通信装置１は、例えば、基地局と無線通信をおこなう、あるいは端末同士で無線通信をおこなう携帯電話等の端末に好適に用いられる。そのため、無線通信装置１は、図１に示すように、アンテナ２（送信アンテナ、受信部）と、デュプレクサ３（ＤＵＰ）と、電力増幅器４（パワーアンプ：ＰＡ）と、送信出力検出部５（検出部）と、バイアス回路６（供給部）と、高周波集積回路７（無線回路、制御部）とを備えている。
【００１２】
アンテナ２は、信号の送受信をおこない、後述する電力増幅器４により増幅された送信信号を無線通信装置１外部（図１では基地局９０）に向けて送信することができる。
【００１３】
デュプレクサ３は、入力した信号を送信帯域と受信帯域に分けるフィルタである。
【００１４】
電力増幅器４は、バイアス回路６からバイアス電圧の供給を受け、高周波集積回路７の信号源７０からの入力信号（送信信号）を増幅させる回路である。増幅して得られる送信信号は、電力増幅器４からデュプレクサ３へ出力される。
【００１５】
送信出力検出部５は、電力増幅器４からデュプレクサ３へ出力（送信）される送信信号の送信出力値を検出する。送信出力値とは、送信電力レベルと換言することができる。検出された送信出力値は、高周波集積回路７へ出力される。送信出力検出部５は、例えば方向性結合器と送信出力値検出回路とを組み合わせて構成することができる。なお、送信出力検出部５は、送信出力値の検出することができれば検出方法に制限はない。
【００１６】
バイアス回路６は、バイアス電圧を生成し、電力増幅器４へ出力する回路である。また、バイアス回路６は、後述する高周波集積回路７のメモリ７３に記憶されたテーブルを元に送られる信号である電圧設定命令に基づいてバイアス電圧を生成する。
【００１７】
高周波（ＲＦ）集積回路７は、アンテナ２より送信するための送信信号の出力値を設定して、当該送信信号（波形）を出力する回路である。
【００１８】
図２は、高周波集積回路７の構成を示すブロック図である。高周波集積回路７は、図２に示すように、信号源７０と、送信出力値設定部７１（設定部）と、判定部７２と、メモリ７３（記憶部）と、選択部７４とを有している。
【００１９】
信号源７０は、送信信号を電力増幅器４へ出力する。この送信信号が入力信号として電力増幅器４に入力される。
【００２０】
送信出力値設定部７１は、アンテナ２より送信する送信信号の送信出力値（送信電力レベル）を設定する。
【００２１】
判定部７２は、送信出力値設定部７１が設定した送信出力値（以下、設定値と記載する）と、上述した送信出力検出部５が検出した送信出力値（以下、検出値と記載する）とを元に比較することにより、電力増幅器４の出力先の負荷に変動が有るか否かを判定する。
【００２２】
本来ならば、検出値は、設定値に基づいて想定される範囲内の値であるべきところ、無線通信装置１のユーザーが通信中に例えば無線通信装置を置いたり把持したりなどすることによって、電力増幅器４に接続された負荷（アンテナ２とディプレクサ３および、それらに接続される回路によって形成される）が変動し、検出値が、設定値に基づいて想定される範囲から外れる値となる事態となる。この事態は負荷変動状態であるため、バイアス電圧を適正な値に変更せずに放置すれば、アンテナ２から送信する送信信号の質（波形）の悪化、つまり、歪特性の劣化を招く。
【００２３】
そこで、本実施形態１では、検出値と設定値とに基づいてメモリ上のテーブルを元にバイアス電圧を設定することで歪特性の劣化を改善させる。
【００２４】
具体的には、判定部７２によって電力増幅器４の出力先の負荷に変動が有るか否かが判定される。判定部７２は、検出値が、設定値に基づいて想定される範囲内の値であるか否かを判定する。検出値が、設定値に基づいて想定される範囲内の値であるとは、検出値と設定値との差の絶対値が、予め定めた値未満である（｜検出値Ｂ−設定値Ａ｜＜α）ことを指す。その判定結果は、選択部７４へ出力される。選択部７４は、判定部７２の判定結果に基づいて、メモリ７３に記憶されているテーブルのうちの一つを選択する。
【００２５】
メモリ７３には、電力増幅器４の出力先に負荷の変動が有る場合に参照すべきテーブル（第一のテーブル）と、電力増幅器４の出力先に負荷の変動が無い場合に参照すべきテーブル（第二のテーブル）とが記憶されている。各テーブルには、検出値とバイアス電圧が対応付けられている。
【００２６】
電力増幅器４の出力先に負荷の変動が有る場合に参照すべきテーブルは、負荷の変動を予め想定して作成されるテーブルである。例えば、本実施形態１の無線通信装置１は、ユーザーによって把持されて姿勢が変化したり、無線通信装置１を置く場所を変えたりすることによって負荷変動が生じる。このような負荷変動は意図しないものであるが、実際には想定可能であるため、その想定に基づいたテーブルを予め用意することが可能である。一方、電力増幅器４の出力先に負荷の変動が無い場合に参照すべきテーブルは、アンテナに悪影響を及ぼすものがない状態（自由空間）を想定したテーブルである。
【００２７】
電力増幅器４の出力先に負荷の変動が有る場合に参照すべきテーブルは、更に、ＵＭＴＳ（Universal Mobile Telecommunications System）またはＬＴＥ（Long Term Evolution）等の通信方式毎に分かれていてもよい。更には、ＬＥＴのような通信帯域幅やリソースブロック数やリソースブロック配置が可変のものに対しては、それらも考慮してそれぞれにテーブルが用意されていてもよい。図３は、通信方式毎に分けられ、更に通信帯域毎に分けられ、且つ、更に通信周波数毎にテーブルが用意されている状態を示している。これは、図３に示すように電力増幅器４の出力先に負荷の変動が無い場合に参照すべきテーブルにおいても同じである。
【００２８】
自由空間を想定したテーブルと、負荷の変動を予め想定して作成されるテーブルとは、検出値に対するバイアス値が異なる。
【００２９】
選択部７４は、判定部７２の判定結果と、通信している通信方式、通信バンドおよび通信周波数とに基づいてテーブルを選択して、その選択情報を送信出力値設定部７１へ出力する。
【００３０】
送信出力値設定部７１は、選択部７４から選択情報が入力されると、選択部７４が選択したテーブルを参照して、上述した検出値に基づいて、電力増幅器４に供給されるバイアス電圧を設定して、その電圧設定命令をバイアス回路６へ出力する。なお、テーブルは、送信出力値設定部７１がメモリ７３から取得してもよいし、選択部７４がメモリ７３から送信出力値設定部７１へテーブルを提供してもよい。
【００３１】
以下に、本実施形態１の無線通信装置１において行われる電力増幅器４のバイアス電圧決定動作を、図４に示すフローチャートに基づいて説明する。
【００３２】
ステップＳ１は、送信開始時として、信号源７０から出力される送信信号の送信出力値（設定値Ａ）が設定される。また、バイアス回路６から所定の初期電圧が電力増幅器４に供給される。初期電圧とは、送信電力が最大でも送信波形の品質が良好な電圧であり、デバイスの仕様書に記載されている標準電圧であってよく、あるいは、事前に実験で求めた値であってもよく、３．４Ｖ付近の電圧に設定することもできる。
【００３３】
ステップＳ２では、信号源７０から送信信号が電力増幅器４へ出力される。
【００３４】
ステップＳ３では、電力増幅器４が、入力した送信信号を増幅して送信信号を出力する。なお、電力増幅器の増幅率にバイアス電圧は関係しないため、バイアス電圧は出力レベルとは関係なく任意に設定することが可能である。
【００３５】
ステップＳ４では、電力増幅器４から出力された送信信号の送信出力値を、送信出力検出部５により検出する。検出した送信出力値（上述の検出値）は、高周波集積回路７の判定部７２に出力される。
【００３６】
ステップＳ５では、判定部７２により、ステップＳ１において送信出力値設定部７１によって設定された送信出力値（上述の設定値）と、ステップＳ４において検出した検出値とを比較する。具体的には、上述したように検出値が、設定値に基づいて想定される値であるか否かが判断される。検出値が、設定値に基づいて想定される値であれば、ステップＳ６に移行する。一方、検出値が、設定値に基づいて想定される値でなければ、ステップＳ７に移行する。
【００３７】
ステップＳ６では、選択部７４により、メモリ７３に格納されている、電力増幅器４の出力先の負荷に変動が無い場合に参照すべき複数のテーブルの中から、通信している通信方式、通信バンドおよび通信周波数に基づいて或るテーブル（第二のテーブル）が選択される。
【００３８】
ステップＳ７では、選択部７４により、メモリ７３に格納されている、電力増幅器４の出力先の負荷に変動が有る場合に参照すべき複数のテーブルの中から、通信している通信方式、通信バンドおよび通信周波数に基づいて或るテーブル（第一のテーブル）が選択される。
【００３９】
ステップＳ８では、送信出力値設定部７１により、ステップＳ６またはＳ７によって選択されたテーブルを参照して、ステップＳ４において検出した検出値に基づいて、電力増幅器４に供給されるバイアス電圧を設定して、その電圧設定命令をバイアス回路６へ出力する。
【００４０】
以上が一連のバイアス電圧決定動作の説明である。続いて、このバイアス電圧決定動作をより具体的に説明する。
【００４１】
図５は、本実施形態１の無線通信装置１を用いた送信信号の送信開始時フェーズのバイアス電圧決定動作の具体例を示す図である。
【００４２】
まず、図５の（ａ）に示すように、信号源７０から出力される送信信号の送信出力値（設定値Ａ）が設定される。また、バイアス回路６から供給されたバイアス電圧は所定の初期電圧に設定される。なお、この設定値Ａとは、基地局からの命令や、圏外／圏内（圏外では最大レベルにする）、基地局からの信号の受信レベルなどによって決定される。
【００４３】
続いて図５の（ｂ）に示すように、先に設定された設定値Ａとバイアス電圧である所定の初期電圧とに基づいて、電力増幅器４において送信信号が増幅され、増幅された送信信号が電力増幅器４から出力されると、送信出力検出部５がその出力信号の送信出力値（検出値Ｂ）を検出する。
【００４４】
続いて図５の（ｃ）に示すように、高周波集積回路７に入力された検出値Ｂと、上の設置値Ａとに基づいて負荷変動の有無が判定されて上述したように参照すべきテーブルが選択され、そのテーブルを参照して、検出値Ｂに基づいてバイアス電圧が決定される。
【００４５】
以上のように、本実施形態１の無線通信装置１によれば、電力増幅器の出力先の負荷の変化に応じて電力増幅器に適切なバイアス電圧を印加することができ、送信信号の波形を良好に保つことができる。
【００４６】
なお、本実施形態１では、テーブルが高周波集積回路７内のメモリ７３に格納されているが、テーブルを格納するメモリは、高周波集積回路７外に配設されていてもよい。
【００４７】
〔実施形態２〕
本発明の他の実施形態について、図６および図７に基づいて説明すれば、以下のとおりである。なお、説明の便宜上、前記実施形態にて説明した部材と同じ機能を有する部材については、同じ符号を付記し、その説明を省略する。
【００４８】
図６は、本実施形態２の無線通信装置１のブロック図であり、図１に対応している。なお、本実施形態２は、図６に示すように、無線通信装置１のアンテナ２が、外部からの送信出力値変更要求を受信する点を実施形態１の無線通信装置１に付加した構成であり、実施形態２は実施形態１の図５に続く処理を説明していると換言することができる。
【００４９】
本実施形態２では、無線通信装置１が例えば携帯電話である場合に、通信変化から送信変更を基地局が要求する場合を想定している。なお、通信環境の変化とは、車などの移動により、基地局からの距離が変わる場合などをいう。
【００５０】
図７は、本実施形態２のバイアス電圧決定動作を説明する図であり、図５の（ｃ）に続くバイアス電圧決定動作を示す。
【００５１】
図７の（ａ）に示す段階は、図５の（ｃ）と同一であり、バイアス電圧は図５の（ｃ）において参照されているテーブルに基づいて設定されている。この段階では基地局は送信出力値変更要求信号を送信していない。
【００５２】
続いて、図６に示す基地局９０から送信された送信出力値変更要求信号をアンテナ２が受信する（図７の（ｂ））。
【００５３】
続いて、送信出力値設定部７１は、図７の（ａ）の段階で参照されているテーブルをそのまま参照し、設定値Ｃに基づいて、バイアス電圧を設定する（図７の（ｃ））。
【００５４】
続いて、図７の（ｃ）において設定したバイアス電圧に応じて電力増幅器４により増幅されて出力された送信信号は、送信出力検出部５によって、その送信出力値が検出値Ｄと検出される。この段階で、バイアス電圧は、検出値Ｄと、上の設置値Ｃとに基づいて実施形態１と同様の方法によって設定される（図７の（ｄ））。
【００５５】
本実施形態２によれば、無線通信装置１のアンテナ２が外部からの送信出力値変更要求を受信した場合であっても、先に参照していたテーブルを用いて電力増幅器に供給するバイアス電圧を設定する。そのため、実施形態１と同様に、電力増幅器の出力先の負荷の変化に応じて電力増幅器に適切なバイアス電圧を印加することができる。
【００５６】
〔実施形態３〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。
【００５７】
図８は、本実施形態３の無線通信装置１のバイアス電圧決定動作を説明する図である。なお、本実施形態３は、実施形態１の図５の（ｃ）に続く動作であり、負荷の変動が生じた場合の動作を説明する。
【００５８】
図８の（ａ）に示す段階は、図５の（ｃ）と同一であり、バイアス電圧は図５の（ｃ）において参照されているテーブルに基づいて設定されている。
【００５９】
続いて、負荷の変動によって、送信出力検出部５の検出値が検出値Ｂから検出値Ｃに変動する（図８の（ｂ））。この段階で、設置値は設定値Ａのままであり、バイアス電圧も図５の（ｃ）において参照されているテーブルに基づいて設定されている値のままである。
【００６０】
検出値Ｃが高周波集積回路７に入力されると、設定値Ａが変動していないにもかかわらず検出値が変動したことにより、判定部７２は、電力増幅器４の出力先の負荷に変動が有ったと判定し、判定結果を選択部７４へ出力し、選択部７４では、電力増幅器４の出力先の負荷に変動が有る場合に参照すべきテーブルが選択される。そして、送信出力値設定部７１により、選択されたテーブルが参照されて、上述した検出値Ｃに基づいて、電力増幅器４に供給されるバイアス電圧が設定される（図８の（ｃ））。
【００６１】
このように、本実施形態３によれば、送信信号の送信中の負荷変動にも適切に対応して、バイアス電圧を設定することができる。
【００６２】
なお、本実施形態３において、電力増幅器４の出力先の負荷に変動が有ったという判定部７２の判定は、広義に解釈すれば、送信出力値設定部７１の設定値と、送信出力検出部５の検出値とを比較した結果による判定であるといえる。
【００６３】
〔まとめ〕
本発明の態様１に係る無線通信装置は、
送信信号の信号源７０、および、当該信号源７０から送信信号を出力するときの送信出力値を設定する設定部（送信出力値設定部７１）を有する無線回路（高周波集積回路７）と、
上記送信信号を増幅する電力増幅器４と、
上記電力増幅器４にバイアス電圧を供給する供給部（バイアス回路６）と、
上記電力増幅器４からの送信される送信信号の送信出力値を検出する検出部（送信出力検出部５）と、
上記設定部（送信出力値設定部７１）が設定した送信出力値と、当該設定した送信出力値の送信信号を上記電力増幅器４において増幅して送信される送信信号を上記検出部（送信出力検出部５）が検出した送信出力値とを比較した結果に基づいて、上記バイアス電圧を設定するように制御する制御部（高周波集積回路７）とを備えていることを特徴としている。
【００６４】
上記の構成によれば、設定部が設定した送信出力値と、当該設定した送信出力値の送信信号を電力増幅器において増幅して送信される送信信号を検出部が検出した送信出力値とを比較した結果に基づいて、バイアス電圧を設定する。これにより、電力増幅器の出力先の負荷の変化に応じて電力増幅器に適切なバイアス電圧を印加することができ、送信信号の波形（質）を良好に保つことが可能である。
【００６５】
なお、上記設定部（送信出力値設定部７１）が設定した送信出力値（設定値）と、上記検出部（送信出力検出部５）が検出した送信出力値（検出値）との比較には、上述の実施形態１のように、検出値が、設定値に基づいて想定される範囲内の値であるかを求めて電力増幅器の出力先の負荷に変動が有るか否かが判定すること、および、上述の実施形態３のように、設定値が変化していないにも関わらず、検出値が変化したことによって電力増幅器の出力先の負荷に変動が有ったと判定することを含む。
【００６６】
また本発明の態様２に係る無線通信装置は、上記態様１において、
上記バイアス電圧と、送信出力値とが対応付けられた、互いに異なる第一および第二のテーブルが記憶された記憶部（メモリ７３）を更に備え、
上記制御部（高周波集積回路７）は、
上記設定部が設定した送信出力値と、上記検出部が検出した送信出力値とに基づいて、上記電力増幅器４の出力先の負荷に変動が有るか否かを判定する判定部７２と、
上記判定部７２によって上記変動が有ると判定された場合には上記第一のテーブルを選択し、上記変動が無いと判定された場合には上記第二のテーブルを選択する選択部７４とを有し、
上記制御部（高周波集積回路７）は、上記選択部７４によって選択されたテーブルを参照して上記バイアス電圧を設定するように制御することが好ましい。
【００６７】
上記の構成によれば、電力増幅器の出力先の負荷に変動が有るか否かを判定し、それに応じたテーブルを参照することから、電力増幅器の出力先の負荷の変化に応じて電力増幅器に適切なバイアス電圧を印加することができ、送信信号の波形を良好に保つことが可能である。
【００６８】
また本発明の態様３に係る無線通信装置は、上記態様２において、
基地局からの送信出力値変更要求を受信する受信部（アンテナ２）を更に備え、
上記受信部（アンテナ２）が上記送信出力値変更要求を受信した場合には、上記制御部（高周波集積回路７）は、当該送信出力値変更要求に含まれる送信出力値と、上記参照している上記テーブルとから、上記バイアス電圧を設定するように制御することが好ましい。
【００６９】
上記の構成によれば、送信出力値変更要求があっても、電力増幅器の出力先の負荷の変化に応じて電力増幅器に適切なバイアス電圧を印加することができる。
【００７０】
また本発明の態様４に係る無線通信装置は、上記態様２または３において、
上記制御部（高周波集積回路７）は、上記検出部（送信出力検出部５）により検出した送信出力値が変動した場合には、上記第一のテーブルを参照して上記バイアス電圧を設定するように制御することが好ましい。
【００７１】
上記の構成によれば、検出部により検出した送信出力値に変動が有ると、電力増幅器の出力先の負荷の変化が有ったとみなして、第一のテーブルを参照してバイアス電圧を設定することができる。
【００７２】
また本発明の態様５に係る無線通信装置は、上記態様１から４において、
上記電力増幅器４から出力された送信信号を外部に出力する送信アンテナ（アンテナ２）を更に備えることができる。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７４】
本発明は、携帯電話等の無線通信装置に好適に利用することができる。
【符号の説明】
【００７５】
１  無線通信装置
２  アンテナ（送信アンテナ、受信部）
３  デュプレクサ
４  電力増幅器
５  送信出力検出部（検出部）
６  バイアス回路（供給部）
７  高周波集積回路（無線回路）
７０  信号源
７１  送信出力値設定部（設定部）
７２  判定部
７３  メモリ（記憶部）
７４  選択部
９０  基地局
【図１】
2015023561.tif 000003
【図２】
2015023561.tif 000004
【図３】
2015023561.tif 000005
【図４】
2015023561.tif 000006
【図５】
2015023561.tif 000007
【図６】
2015023561.tif 000008
【図７】
2015023561.tif 000009
【図８】
2015023561.tif 000010